(57)【特許請求の範囲】
【請求項１】
眼鏡用蝶番継手であって、蝶番軸として用いられる継手体（５）を持ち、この継手体（５）が、弦顎片（８）の環（９）を受入れる同軸的な周囲溝（７）を形成し、かつ少なくとも一端で互いに結合されて周囲溝（７）の両側に延びる弦端部（２）の２つの脚辺（４）の間に相対回転しないように保持されているものにおいて、継手体（５）が円板状の２つの部分（６）から成り、これらの部分（６）の突き合わせ面（ｓ）が、周囲溝（７）の範囲で蝶番軸に対して直角に延びていることを特徴とする、眼鏡用蝶番継手。
【請求項２】
継手体（５）の部分（６）が、互いに反対の側の端面に、弦端部（２）の両方の脚辺（４）用の平行な受入れ溝（１５）を持っていることを特徴とする、請求項１に記載の蝶番継手。
【請求項３】
継手体（５）が弦端部（２）の脚辺（４）の少なくとも１つの係止凹所（１６）へはまり込み可能であることを特徴とする、請求項１又は２に記載の蝶番継手。
【請求項４】
継手体（５）の両方の部分（６）が段付けされた突き合わせ面（ｓ）で互いに係合していることを特徴とする、請求項２又は３に記載の蝶番継手。
【請求項５】
弦端部（２）の脚辺（４）が受入れ輪（３）となるように互いに両側で結合され、継手体（５）がこれを貫通するピン（１０）により受入れ輪（３）中に保持され、継手体（５）の両方の部分（６）が、受入れ輪（３）の係止凹所（１３）に係合して継手体（５）から軸線方向に突出する回転ストツパ（１２）を介して、受入れ輪（３）に対して相対回転しないように支持されていることを特徴とする、請求項１に記載の蝶番継手。
【請求項６】
セルフタツピングねじ区域を備えたピン（１０）が、継手体（５）へのみねじ込み可能に、ただし継手体（５）から両側へ突出するピン端部で自由に回転可能に、弦端部（２）に保持されていることを特徴とする、請求項５に記載の蝶番継手。
【発明の詳細な説明】
【０００１】
【技術分野】
本発明は、眼鏡用蝶番継手であって、蝶番軸として用いられる継手体を持ち、この継手体が、弦顎片の環を受入れる同軸的な周囲溝を形成し、かつ少なくとも一端で互いに結合されて周囲溝の両側に延びる弦端部の２つの脚辺の間に相対回転しないように保持されているものに関する。
【０００２】
【従来の技術】
この種の公知の蝶番継手（国際出願公開第ＷＯ９９／１４６２８号）では、弦のＵ字状に曲げられた端部の両方の脚辺が、なるべく球状の継手体を周囲溝の両側で貫通し、弦端部の両方の脚辺の間の結合連絡片が、継手体の周囲溝に案内されて周囲側で開いた弦顎片の針金環を外側から包囲している。この手段により、継手体は、Ｕ字状に曲げられた弦端部の脚辺の間に回らないように保持され、針金環を外側から包囲する弦端部の結合連絡片は、更に継手体の周囲溝から針金環が予期せずに外れるのを困難にする。ただしこのような構造の前提条件は、広げることにより針金環を継手体の周囲溝へ弾性的にはめ込むため、弦顎片の針金環が充分な曲げ弾性を持っていることである。例えば合金から成る針金環又は周囲側で閉じられている環の場合のように、この弾性を保証することができないと、他の点では有利なこの構造を使用することができない。
【０００３】
他の公知の構造（英国特許出願公開第２２８１９７９号明細書）においても類似の欠点が生じ、この構造では、針金環により包囲される蝶番継手の継手体は球状ではなく、弦又は弦顎片に付属させることができる円板の形に構成されている。弦顎片又は弦により形成される針金環は、針金環の充分な曲げ弾性により、円板状継手体の周囲溝へはめ込むことができるようにするため、適当に広げられねばならない。
【０００４】
【発明の表示】
従って限られた曲げ弾性を持ち周囲の側で開いた針金環又は周囲の側で閉じた針金環を使用でき、費用のかかる組立て条件を甘受する必要なしにする。最初にあげた種類の眼鏡用蝶番継手を構成するという課題が、本発明の基礎になっている。
【０００５】
本発明は、継手体がなるべく円板状の２つの部分から成り、これらの部分の突き合わせ面が、周囲溝の範囲で蝶番軸に対して直角に延びていることによって、与えられた課題を解決する。
【０００６】
周囲溝の範囲で継手軸に対して直角に延びる分割面に沿って継手体を２つの部分に分割するため、弦顎片の環を広げる必要がない。なぜならば、継手体の両方の部分は、互いに反対の側から蝶番軸の方向に弦顎片の環へ差し込むことができるからである。従って環は周囲側で開くが、閉じるようにも構成することができる。継手体の両方の部分の間に保持される弦顎片の環を持つ継手体を組立るため、継手体を両方の脚辺の間へ挿入して、その両方の部分を弦端部の脚辺に相対回転しないように結合しさえすればよい。継手体の相対回転しない保持は、環と継手体との間の摩擦により蝶番継手の動きを規定するための有利な前提条件を与える。
【０００７】
この目的のため、継手体の部分が、互いに反対の側の端面に、弦端部の両方の脚辺用の平行な受入れ溝を持っていることができる。このような継手体を弦端部の脚辺の間へ挿入できるようにするため、脚辺はその固有弾性の範囲内で広げられることができるので、挿入される継手体と共に環を脚辺に対して直角に導入することができる。一端でのみ互いに結合される脚辺では、脚の開いた側からその縦方向に継手体への押込みも行われる。両方の場合において、組立てのために別個の工具を必要としない。
【０００８】
脚辺に沿う継手体の予期しない移動を防止するため、異なる手段をとることができる。例えば脚辺と継手体との間のかしめ又は接着が可能である。継手体が弦端部の脚辺の少なくとも１つの係止凹所へはまり込み可能であるので、この係止凹所においてそれ以上移動しないように弾性的に固定するため、継手体を脚辺に沿ってのみ係止凹所内へ移動させればよい場合、特に簡単な構造状態が生じる。この解決策は、工具なしの組立てに対して利点を与えるだけでなく、簡単な分離可能性も与える。
【０００９】
脚辺の間へ継手体を挿入するため、受入れ溝が互いに反対側の端面で平行に延びているように、継手体の両方の部分を互いに整列させねばならないので、弦端部の環へ互いに反対の側から継手体の両方の部分を導入する際この整列を確実にする手段が推奨される。この目的のため、継手体の両方の部分は段付けされた突き合わせ面で互いに係合することができる。これらの突き合わせ面は、受入れ溝の所定の整列においてのみ両方の部分の軸線方向結合を可能にする。
【００１０】
弦端部の脚辺が受入れ輪となるように互いに両側で結合され、継手体がこれを貫通するピンにより受入れ輪中に保持され、継手体の両方の部分が、受入れ輪の係止凹所に係合して継手体から軸線方向に突出する回転ストツパを介して、受入れ輪に対して相対回転しないように支持されていることによって、継手体の部分を弦端部の脚辺に結合する別の可能性が生じる。継手体の部分の間に針金環を保持される継手体を組立てるため、弦端部により形成される受入れ輪へ継手体が導入され、継手体を蝶番軸の方向に貫通しかつ継手体から両側へ突出する端部により弦端部の脚辺の穴に係合するピンによって、この受入れ輪内に保持される。継手体の両方の部分は、受入れ輪の係止凹所に係合する回転ストツパを介して、弦端部に対して回転しないように支持されるので、蝶番継手の動きは、針金環と継手体との間の摩擦によって決定される。
【００１１】
蝶番継手の分解のために、継手体は弦端部の受入れ輪から外すことができ、そのために、継手体を貫通するピンの除去が必要である。これは、ピンにねじ区域を設けることによって、簡単に行うことができる。しかし弦端部へねじ込まれるねじピンは、端部に適当な雄ねじを必要とし、それにより製造費が増大するのみならず、ねじピンの破断の際困難が生じる。この理由からセルフタツピングねじ区域を備えたピンが、継手体へのみねじ込み可能なので、継手体から両側へ突出するピン端部で、自由に回転可能に、弦端部に保持されている。この手段は、雌ねじの切削を不要にし、継手体のプラスチツクの固有弾性により、継手体におけるピンの確実な保持が、ねじ区域を介して保証される。継手体からのピンのねじ外しは簡単なので、継手体の部分が回転ストツパを介して弦端部に回転しないように支持されることによる有利な構造状態が得られ、従って蝶番継手の操作による回転モーメントがピンへ及ぼされることはない。
【００１２】
図面には本発明が例として示されている。
【００１３】
【発明を解決するための手段】
図１〜３による実施例によれば、針金から作られる弦１は端部２を持ち、この端部が受入れ輪３となるように広げられている。両方の端部で互いに結合される２つの脚辺４により形成される受入れ輪３へ、２つの部分６から成る円板状継手体５が差込まれ、両方の部分６がその間に周囲溝７を形成している。両方の部分６の間の突き合わせ面ｓは、周囲溝７に対して対称にかつ図３からわかるようにその軸線に対して直角に延びている。
【００１４】
詳細には示していない眼鏡の縁の弦顎片８は、その蝶番側端部に、周囲の側で開く針金環９を形成し、この針金環９が継手体５の周囲溝７にはまっている。図１からわかるように、針金環９は周囲溝７に約２７０°の角度にわたって巻付き、それにより、蝶番継手の適当な動きを得るために、針金環９が継手体５を周囲溝７内で弾性的に包囲する場合、周囲溝７の軸線に対して直角に継手体５の周囲溝への針金環９の導入が阻止される。この理由から、継手体５の部分６は、互いに反対の側から軸線方向に針金環９へ導入され、その際針金環９は僅か弾性的に広げられる。継手体５の周囲溝７へはまる針金環９は、それから継手体５と共に弦端部２の受入れ輪３へ差込まれ、ピン１０によりその中に固定される。このピン１０は継手体５を貫通し、軸線方向に継手体５から突出するその端部は、弦端部２の脚辺４に設けられている盲穴１１の脚辺側区域へはまる。その際ピン１０のセルフタツピングねじは継手体５のみをはまり合いで貫通するが、ピン１０と盲穴１１との間の遊隙によって示されているように、ピン１０は盲穴１１内で自由に回転可能に案内されるようになっている。
【００１５】
弦顎片８に対する弦１の揺動により、針金環９と共に継手体５が回るのを防止するため、継手体５の部分６は、受入れ輪３の互いに当る脚辺４に対して軸線方向へ突出する回転ストツパ１２を持ち、継手体５を受入れ輪３へ導入する際、これらの回転ストツパ１２が脚辺４の対応する係止凹所へはまって継手体５を弦端部２に相対回転しないように結合する。
【００１６】
蝶番継手を組立るため、部分６を針金環９へはめた後、針金環９を継手体５と共に受入れ輪３へ導入して、セルフタツプングねじピン１０により弦端部２に固定しさえすればよく、その際ピン１０はねじを切りながら継手体５を貫通する。同じように蝶番継手を分解することもできる。なぜならば、このためにピン１０を継手体５からねじ外しさえすればよいからである。
【００１７】
図４〜６の実施例によれば、詳細には図示してない眼鏡の縁の蝶番側弦端部２は、結合連絡片１４により端部側を互いに結合される２つの脚辺を持ち、これらの脚辺４はその間に継手体５を受入れ、この継手体５が弦顎片の環９を受入れる周囲溝７を形成している。この実施例では周囲側を閉じられた環９へ継手体５を軸線方向に差込むことができるようにするため、継手体５は２つの部分６に分割され、その段付けされた突き合わせ面ｓが互いにはまり合い、両方の部分６を環９内に相対回転しないようにまとめる。両方の部分６の図示した係合位置で、脚辺４用の受入れ溝１５は、両方の部分６の互いに反対側の端面で、互いに平行に延びている。従って継手体５は環９と共に脚辺４の間へ差込まれて、脚辺４が継手体５の受入れ溝１５へはまり、継手体５を相対回転しないように保持することができる。従って継手体５と継手体５の周囲溝７へはまる環９との間に生じる摩擦は、蝶番継手の動きを固定するのに有利に利用可能であり、そのため通常はプラスチツクから成る継手体５と金属からなる環９との間に、適当なはめ合いを考慮せねばならない。
【００１８】
継手体５を弦端部２へ差込むため、継手体５を環９と共に脚辺４に対して直角にこれらの脚辺４との間へ導入して、脚辺４を継手体５の受入れ溝１５へはめることができるようにするために、脚辺４はなるべくその固有弾性の範囲内で少し広げられる。それから環９と共に継手体５を、結合連絡片１４へ向かって、脚辺４にある係止凹所１６の方へ移動させることができる。継手体５がこれらの係止凹所１６へはまると、継手体５は弦端部２に対して移動しないように固定され、しかも簡単な分解の可能性をもって固定される。継手体５のこの係止位置で、脚辺４の間の結合連絡片１４は弦のまっすぐになった使用状態のためのストツパを形成し、図５からわかるようにこの使用位置から、弦を矢印１７の方向に揺動させることができる。
【図面の簡単な説明】
【図１】  本発明による蝶番継手を継手軸に対して直角な簡単化した断面で示す。
【図２】  図１のＩＩ−ＩＩ線による断面を示す。
【図３】  図１による蝶番継手を継手軸に対して直角に一部切欠いて示す。
【図４】  本発明による蝶番継手の別の実施例を、継手軸を通る部分断面で示す。
【図５】  この蝶番継手を蝶番軸の方向の平面図で示す。
【図６】  図４のＶＩ−ＶＩ線による断面を示す。
【図１】
0004742381.tif 000002
【図２】
0004742381.tif 000003
【図３】
0004742381.tif 000004
【図４】
0004742381.tif 000005
【図５】
0004742381.tif 000006
【図６】
0004742381.tif 000007